(57)【特許請求の範囲】
【請求項１】
ベッドに横たわっている監視対象者が前記ベッドから離床する際に踏む位置の床面に配置されるシート状の第一感圧領域と、前記第一感圧領域に隣接して設けられるシート状の第二感圧領域と、前記監視対象者の離床に関する注意情報を出力する出力部と、前記出力部を制御する制御部と、を備える離床検知マットであって、
前記制御部は、前記第一感圧領域に所定以上の加重が加わった場合に、前記出力部に前記注意情報を出力させる監視状態と、前記第一感圧領域に所定以上の加重が加わった場合に、前記注意情報の出力を行わない非監視状態とに移行可能であり、少なくとも前記制御部が前記監視状態にあるときに、前記第二感圧領域に所定以上の加重が加わった場合に、前記制御部は前記監視状態から前記非監視状態に移行するものであり、
前記第二感圧領域は、監視者が前記ベッドに横たわる監視対象者に接近する際の動線上であって、前記ベッドの長さ方向における足側に前記第一感圧領域に隣接して設けられることを特徴とする離床検知マット。
【請求項２】
前記第二感圧領域は、前記ベッドの足側の端部よりも、前記ベッドの長さ方向における頭側に設けられることを特徴とする請求項１に記載の離床検知マット。
【請求項３】
前記第二感圧領域は、前記ベッドの幅方向において、前記第一感圧領域の前記ベッドから最も離反する位置に隣接して設けられることを特徴とする請求項１又は請求項２に記載の離床検知マット。
【請求項４】
前記第一感圧領域及び前記第二感圧領域は、リバーシブルであることを特徴とする請求項３に記載の離床検知マット。
【請求項５】
前記制御部は、前記非監視状態のときに、前記第一感圧領域に第一の所定時間以上連続して、所定以上の加重が加わらなかった場合に、前記非監視状態から前記監視状態に移行することを特徴とする請求項１から請求項４のいずれかに記載の離床検知マット。
【請求項６】
前記第一の所定時間の経過を表示可能な表示部が設けられることを特徴とする請求項５に記載の離床検知マット。
【請求項７】
前記制御部は、前記非監視状態のときに、前記第二感圧領域に所定以上の加重が加わった場合に、前記非監視状態から前記監視状態に移行することを特徴とする請求項１から請求項６のいずれかに記載の離床検知マット。
【請求項８】
前記制御部は、前記監視状態から前記非監視状態に移行した後、第二の所定時間経過した場合に、前記非監視状態から監視状態に移行することを特徴とする請求項１から請求項４のいずれかに記載の離床検知マット。
【発明の詳細な説明】
【技術分野】
【０００１】
本発明は、ベッドに横たわっている監視対象者がベッドから離床したことを監視者に知らせることができる離床検知マットに関する。
【背景技術】
【０００２】
従来より、主に医療機関や介護施設などにおいて、患者や被介護者などの監視対象者が横たわるベッド近傍の床面に感圧センサのマットを載置しておき、感圧センサに所定の荷重が加わった場合に、監視対象者がベッドから離床し、又は監視対象者がベッドから転落したものと判断して、ナースコールやブザーなどで、医療従事者や介護者などの監視者に異常を報知する離床検知マットが知られている（特許文献１及び特許文献２参照）。
【０００３】
しかし、上述のような離床検知マットを用いる場合、看護等の作業のために、監視者がマットを踏んだ場合のように、監視対象者に異常がない場合でも、ナースコールやブザーなどが鳴る問題があった。そこで、監視者に無線ＩＣタグを携帯させておき、ベッド近傍に無線ＩＣタグを検知する検知手段を配置して、当該検知手段が無線ＩＣタグを検知している間は、マットに荷重が加わってもナースコールやブザーなどによって異常を報知することがないシステムが提案されている（特許文献３参照）。この構成によれば、監視者が看護又は介護の作業で、マットを踏んだ場合には、ナースコールやブザーがなることがない。
【先行技術文献】
【特許文献】
【０００４】
【特許文献１】特開平１０−９４５２５号公報
【特許文献２】特開平１１−２１３２６６号公報
【特許文献３】特開２０１０−１４８７００号公報
【発明の概要】
【発明が解決しようとする課題】
【０００５】
しかし、ベッド近傍に載置されるマットを踏む可能性がある者は、多数の医療従事者や介護者の他、家族や見舞客など多岐に亘るので、これら全員に無線ＩＣタグを配布することは困難である。また、ベッド近傍に無線ＩＣタグを置忘れた場合などのように、監視者が監視対象者を見ていない場合でも無線ＩＣタグがベッド近傍にあれば、監視対象者の離床や転落があっても、ナースコールやブザーなどによって異常を報知することができない問題がある。
【０００６】
本発明は、監視者が看護等の作業を行う場合には、注意情報が出力されることがなく、監視対象者がベッドから離床又は転落した場合には、確実に注意情報を出力することができる離床検知マットを提供することを目的とする。
【課題を解決するための手段】
【０００７】
請求項１に記載の離床検知マットは、ベッドに横たわっている監視対象者が前記ベッドから離床する際に踏む位置の床面に配置されるシート状の第一感圧領域と、前記第一感圧領域に隣接して設けられるシート状の第二感圧領域と、前記監視対象者の離床に関する注意情報を出力する出力部と、前記出力部を制御する制御部と、を備える離床検知マットであって、前記制御部は、前記第一感圧領域に所定以上の荷重が加わった場合に、前記出力部に前記注意情報を出力させる監視状態と、前記第一感圧領域に所定以上の荷重が加わった場合に、前記注意情報の出力を行わない非監視状態とに移行可能であり、少なくとも前記制御部が前記監視状態にあるときに、前記第二感圧領域に所定以上の荷重が加わった場合に、前記制御部は前記監視状態から前記非監視状態に移行するものであり、前記第二感圧領域は、監視者が前記ベッドに横たわる監視対象者に接近する際の動線上であって、前記ベッドの長さ方向における足側に前記第一感圧領域に隣接して設けられることを特徴としている。
【０００８】
請求項２に記載の離床検知マットは、前記第二感圧領域は、前記ベッドの足側の端部よりも、前記ベッドの長さ方向における頭側に設けられることを特徴としている。
【０００９】
請求項３に記載の離床検知マットは、前記第二感圧領域は、前記ベッドの幅方向において、前記第一感圧領域の前記ベッドから最も離反する位置に隣接して設けられることを特徴としている。
【００１０】
請求項４に記載の離床検知マットは、前記第一感圧領域及び前記第二感圧領域は、リバーシブルであることを特徴としている。
【００１１】
請求項５に記載の離床検知マットは、前記制御部は、前記非監視状態のときに、前記第一感圧領域に第一の所定時間以上連続して、所定以上の荷重が加わらなかった場合に、前記非監視状態から前記監視状態に移行することを特徴としている。
【００１２】
請求項６に記載の離床検知マットは、前記第一の所定時間の経過を表示可能な表示部が設けられることを特徴としている。
【００１３】
請求項７に記載の離床検知マットは、前記制御部は、前記非監視状態のときに、前記第二感圧領域に所定以上の荷重が加わった場合に、前記非監視状態から前記監視状態に移行することを特徴としている。
【００１４】
請求項８に記載の離床検知マットは、前記制御部は、前記監視状態から前記非監視状態に移行した後、第二の所定時間経過した場合に、前記非監視状態から監視状態に移行することを特徴としている。
【発明の効果】
【００１５】
請求項１に記載の離床検知マットによると、制御部は、第一感圧領域に所定以上の荷重が加わった場合に、出力部に注意情報を出力させる監視状態と、第一感圧領域に所定以上の荷重が加わった場合に、注意情報の出力を行わない非監視状態とに移行可能であって、監視状態のときに、監視対象者がベッドから離床した場合やベッドから転落した場合には、第一感圧領域に荷重が加わることになるので、出力部に注意情報を出力させることができる。また、非監視状態のときに、第一感圧領域に所定以上の荷重が加わった場合でも注意情報の出力が行われないので、監視者が看護又は介護の作業のために第一感圧領域を踏んでも、注意情報が出力されることがない。そして、制御部が前記監視状態にあるときに、第二感圧領域に所定以上の荷重が加わった場合には、制御部は監視状態から非監視状態に移行するので、監視者は看護又は介護の作業のために第一感圧領域を踏む前に、第二感圧領域を踏んで、監視状態から非監視状態に移行させておけば、不必要に注意情報が出力されることを防止できる。
【００１６】
そして、第二感圧領域は、監視者がベッドに横たわる監視対象者に接近する際の動線上であって、ベッドの長さ方向における足側に第一感圧領域に隣接して設けられている。医療機関や介護施設においてベッドは、横たわる監視対象者の足側のなる方向から看護や介護を行う監視者が接近するように配置されているので、監視者がベッドに接近する際には、第一感圧領域よりも前に第二感圧領域を踏むことができ、しかも、第二感圧領域も床面に配置されるシート状のものであるので、監視者が看護又は介護に必要な物を両手で持っているような場合でも、簡単に第二感圧領域を踏むことができる。
【００１７】
また、第一感圧領域は、監視対象者がベッドから離床する際に踏む位置に配置されるとともに、第二感圧領域は、第一感圧領域に隣接してベッドの長さ方向における足側に設けられていることで、監視対象者がベッドから離床する場合や転落する場合には、第二感圧領域よりも先に第一感圧領域に荷重が加わることになるので、監視対象者を確実に監視することができる。
【００１８】
また、請求項２に記載の離床検知マットによると、第二感圧領域は、ベッドの足側の端部よりも、ベッドの長さ方向における頭側に設けられている。医療機関や介護施設において、特に相部屋の場合には、ベッドの足側の端部よりもベッドの長さ方向におけるさらに足側には、通路が設けられることになる。そこで、上述のように、第二感圧領域は、ベッドの足側の端部よりも、ベッドの長さ方向における頭側に設けられているので、通路を通過する者が第二感圧領域を踏む恐れがなく、意図せずに非監視状態になることを防止できる。
【００１９】
請求項３に記載の離床検知マットによると、ベッドの幅方向において、第一感圧領域のベッドから最も離反する位置に隣接して第二感圧領域が設けられている。すなわち、第二感圧領域はベッドから最も離れた位置に配置されているので、監視対象者がベッドから離床する際や転落する際に、第一感圧領域よりも先に第二感圧領域を踏むことをより確実に防止することができ、監視対象者を確実に監視することができる。
【００２０】
請求項４に記載の離床検知マットによると、第一感圧領域及び第二感圧領域は、リバーシブルであるので、離床検知マットをベッドに横たわる監視対象者の右側及び左側のいずれの床面に配置する場合でも、第二感圧領域をベッドからもっとも離反する位置に配置することができ、汎用性に優れる。
【００２１】
請求項５に記載の離床検知マットによると、看護等のために制御部を非監視状態にした後、看護等の作業中は監視者が第一感圧領域を踏んでいるので、監視状態に移行することはなく、監視者がベッド脇の第一感圧領域から離れた場合に、第一感圧領域に第一の所定時間以上連続して、所定以上の荷重が加わらなくなり、非監視状態から監視状態に移行することになる。したがって、看護や介護の作業中には勝手に監視状態に移行することがないので、注意情報が出力されることがなく、また、看護や介護の作業が終わって、監視者がベッドから離れた場合には監視者のなんらの操作も必要とせず、確実に監視状態に移行するので、監視対象者を確実に監視することができる。
【００２２】
請求項６に記載の離床検知マットによると、第一の所定時間の経過を表示可能な表示部が設けられているので、第一の所定時間の経過を視認することができ、非監視状態から監視状態に移行するタイミングを知ることができる。したがって、非監視状態のときに監視者がベッドから離れる場合に、すぐに監視状態に移行するのか、監視状態に移行するまでに多少時間があるか知ることができる。
【００２３】
請求項７に記載の離床検知マットによると、非監視状態のときに、第二感圧領域に所定以上の荷重が加わった場合に、非監視状態から前記監視状態に移行するので、監視者がベッドから離れる際に、第二感圧領域を踏むことで、非監視状態から監視状態に移行することができる。したがって所定時間の経過を待つことなく、監視状態に移行することができる。
【００２４】
請求項８に記載の離床検知マットによると、制御部は、監視状態から非監視状態に移行した後、第二の所定時間経過した場合に、非監視状態から監視状態に移行するので、自動的に確実に監視状態に移行することができ、確実に監視対象者を監視することができる。
【図面の簡単な説明】
【００２５】
【図１】離床検知マットの電気的構成を示すブロック図。
【図２】離床検知マットの外観を示す斜視図。
【図３】離床検知マット及びベッドの配置を示す省略斜視図。
【図４】離床検知マット及びベッドの配置を示す平面図。
【図５】病室などの相部屋に離床検知マット及びベッドを配置した図。
【図６】注意情報を出力する出力処理のルーチンを示すフローチャート。
【図７】第１の実施形態に係る離床検知マットの制御部の状態移行処理のルーチンを示すフローチャート。
【図８】離床検知マットの変形例を示す斜視図であって、（Ａ）は表面を見た図、（Ｂ）は裏面を見た図。
【図９】変形例の離床検知マットを相部屋に配置した図。
【図１０】第２の実施形態に係る離床検知マットの制御部の状態移行処理のルーチンを示すフローチャート。
【発明を実施するための形態】
【００２６】
〔第１の実施形態〕
以下、本発明の離床検知マット１の第一の実施形態について、図１から図７を参照しつつ説明する。離床検知マット１は、監視対象者がベッド２から離床したことやベッド２から転落したことを監視者に報知するために、ベッド２に横たわっている監視対象者がベッド２から離床する際に踏む位置の床面に配置されるマットである。ここで、「監視対象者」とは、たとえば認知症や乳幼児などのように、ベッド２から離床した場合に、危険が生じうる者やベッド２から転落した場合に自力で立ち上がることが困難である者などのように看護、介護、又は養育が必要な者をいう。また、「監視者」は、ベッド２に横たわる監視対象者に対して、医療行為、看護、介護、又は養育を行う者をいう。本実施形態においては、医療機関に入院する監視対象者のベッド２に近接する床面に設置される離床検知マット１を例に説明する。なお、以下において、監視者が監視対象者に行う看護、介護、又は養育を看護等として記載する。
【００２７】
離床検知マット１は、図１及び図２に示すように、矩形のシート状に形成されており、監視対象者がベッド２から離床する際に踏む位置の床面に配置される第一感圧領域３と、第一感圧領域３に隣接して設けられる矩形シート状の第二感圧領域４と、第一感圧領域３及び第二感圧領域４の境界に配置される細長い表示部５と、監視対象者の離床に関する注意情報を出力する出力部６と、出力部６を制御する制御部７と、制御部７が行う処理のプログラムを記憶する記憶部８と、を備えている。
【００２８】
第一感圧領域３は、厚さ４ｍｍ、幅６１０ｍｍ、長さ９１０ｍｍの矩形シート状であり、２ｋｇ／１５ｃｍ２の荷重を検知する圧力センサである。したがって、本発明における「所定以上の荷重」とは、本実施形態においては、２ｋｇ／１５ｃｍ２以上の荷重がこれに相当する。なお、第一感圧領域３の寸法及び検知荷重は上述のものに限定されるものではなく、監視対象者がベッド２から離床する場合に踏む床面の位置を含む領域に敷設可能な大きさであり、且つ、監視対象者がベッド２から離床する場合に床面に加わる荷重を検知可能な圧力センサであればよい。なお、第一感圧領域３が検知可能な最小限界荷重値と別に記憶部８が所定の閾値を記憶しておき、所定の閾値を超える荷重が加わった場合にのみ制御部７が出力部６に注意情報を出力させる構成であってもよい。
【００２９】
第二感圧領域４は、第一感圧領域３と同様の圧力センサであり、寸法は、厚さ４ｍｍ、第一感圧領域３に隣接する辺が６１０ｍｍで、第一感圧領域３の長手方向に平行な辺が２００ｍｍである。また、第二感圧領域４も２ｋｇ／１５ｃｍ２の荷重を検知する。第一感圧領域３と第二感圧領域４の境界に設けられる表示部５は、複数のＬＥＤ素子をライン状に並べて形成している。表示部５は発光するＬＥＤ素子の数の増減により、後述する第一の所定時間の経過を表示するものである。なお、表示部５の態様は、発光するＬＥＤ素子のラインに限定されるものではなく、数字や色の変化によって第一の所定時間を表示するものであってもよい。また、表示部５は、第一感圧領域３と第二感圧領域４との境界に設けられることで、第一感圧領域３と第二感圧領域４との境界を明確に視認可能にし、監視者が第一感圧領域３と第二感圧領域４とを踏み間違うことがない利点があるが、表示部５の位置はこれに限定されるものではなく、表示部５は他の位置に配置されていてもよい。
【００３０】
また、表示部５は、制御部７が監視状態であるか、非監視状態であるかを外部に報知することができる構成である。例えば、ＬＥＤ素子は赤色又は緑色に発光制御可能であり、非監視状態のときには赤色に発光し、監視状態のときには緑色に発光することで、制御部７の状態を報知することができるものである。
【００３１】
なお、第一感圧領域３、及び第二感圧領域４は、一枚のマットとして互いに固定されている。
【００３２】
出力部６は、本実施形態においては、ナースコール用端子１１に接続される出力インターフェースである。この出力部６からケーブル１０が延出しており、壁１２に設けられたナースコール用端子１１に接続されている。制御部７が注意情報を出力する旨の信号を出力部６に送ると、出力部６を介してナースステーション内に設けられた不図示のナースコール親機が光及音を発することにより、監視者に注意情報を認識させる。なお、たとえば、自宅で介護する場合などにおいては、出力部６は、それ自体が光や音を発することにより注意情報を監視者に認識させるものであってもよいし、又は、携帯電話などの監視者が携帯する端末にメールなどを送信することにより注意情報を監視者に認識させるものであってもよい。
【００３３】
制御部７は、第一感圧領域３及び第二感圧領域４が検知する荷重の信号に基づいて、出力部６に対して注意情報を出力するか否かを判断するマイクロプロセッサである。制御部７は、第一感圧領域３に所定以上の加重が加わった場合に、出力部６に注意情報を出力させる監視状態と、第一感圧領域３に所定以上の加重が加わった場合に、注意情報の出力を行わない非監視状態とに移行可能である。記憶部８は、制御部７が行う各種処理のプログラムや制御部７の状態を記憶するメモリである。
【００３４】
次に、ベッド２及び離床検知マット１の配置について図３から図５に基づいて説明する。図４及び図５に示すように、一般に医療機関や介護施設の部屋では、ベッド２は、その長さ方向Ｘにおいて、横たわる監視対象者の頭側が壁１２に近接し、足側が監視者などが通過可能な通路１４となっている。そして、ベッド２の幅方向Ｙ、すなわち、ベッド２に横たわる監視対象者の左右方向のうち、一方が壁１２やカーテン１３で仕切られている。また、ベッド２に横たわる監視対象者の左右方向のうち、他方には、監視対象者の荷物や生活用品、治療用具などを載置可能な収納棚や監視者が監視対象者の看護等をする空間が空けられており、この空間には監視対象者に用がある者しか侵入することがない専用空間９である。監視者が監視対象者に接近するときには、通路１４を通過して、専用空間９に侵入して、監視対象者の看護等を行う。
【００３５】
離床検知マット１は、図３及び図４に示すように、ベッド２に近接する専用空間９の床面に載置されている。離床検知マット１は、ベッド２の長さ方向Ｘの中央が第一感圧領域３の長手方向の中央となるようにベッド２脇の床面に載置されており、第一感圧領域３のベッド２の長さ方向Ｘにおける足側、すなわち、第一感圧領域３の通路１４側に第二感圧領域４が配置されている。第二感圧領域４の最も通路１４側の端部は、ベッド２の足側の端部よりも、ベッド２の長さ方向Ｘにおける頭側に配置されている。すなわち、第二感圧領域４は、通路１４側にはみ出しておらず、専用空間９の床面に載置されている。
【００３６】
なお、本実施形態においては、ベッド２の幅方向Ｙの一方は壁１２によって仕切られており、ベッド２の幅方向Ｙの他方の専用空間９の床面に離床検知マット１が載置されているが、主に個室などで、ベッド２の幅方向Ｙの両側がいずれも壁１２やカーテン１３によって仕切られていない部屋の場合には、ベッド２の幅方向Ｙの両側にそれぞれ専用空間９が設けられており、これら両側の専用空間９の床面にそれぞれ離床検知マット１を載置してもよい。
【００３７】
次に、主に制御部７が行う注意情報の出力処理について、図６を参照しつつ説明する。注意情報の出力処理では、まず、制御部７の状態が監視状態であるか否か判断する（Ｓ１００）。例えば、記憶部８に制御部７の状態を記憶する領域を設けておき、監視状態のときにはフラグをＯＮにし、非監視状態のときにはフラグをＯＦＦにするように設定しておき、制御部７はこの記憶部８の領域を参照して、ＯＮであるか否か判断する。制御部７の状態が監視状態ではないと判断すると（Ｓ１００：ＮＯ）、制御部７の状態は、非監視状態であるので、注意情報の出力を行わずに、この処理をリターンする。
【００３８】
一方、制御部７の状態が監視状態であると判断すると（Ｓ１００：ＹＥＳ）、次に、第一感圧領域３に所定以上の荷重が加わったか否か判断する（Ｓ１０１）。すなわち、第一感圧領域３から所定以上の荷重を検知した旨の信号を受け取ったか否か判断する。第一感圧領域３に所定以上の荷重が加わっていないと判断すると（Ｓ１０１：ＮＯ）、注意情報の出力を行わずに、この処理をリターンする。一方、第一感圧領域３に所定以上の荷重が加わったと判断すると（Ｓ１０１：ＹＥＳ）、制御部７は注意情報を出力すべき旨の信号を出力部６を介して図示しないナースコール用端末に出力し（Ｓ１０２）、この処理をリターンする。ナースコール用端子１１に注意情報を出力すべき旨の信号を出力すると、ナースステーションのナースコール親機が光及び音を発して、監視者に注意情報を報知する。したがって、監視者は、監視対象者がベッド２から離床した又は転落した可能性があることを知ることができる。
【００３９】
上述のように、監視対象者がベッド２から離床又は転落した場合には、離床検知マット１の第一感圧領域３に所定以上の荷重が加わることになるので、制御部７の状態が監視状態である場合には、監視者に確実に注意情報を報知することができる。また、制御部７の状態が非監視状態である場合には、第一感圧領域３に所定以上の荷重が加わっているか否か判断することなく、出力処理をリターンするので、監視者が看護等で第一感圧領域３を踏む前に非監視状態にしておくことで、不必要な注意情報を出力を防止することができる。
【００４０】
次に、主に制御部７が行う制御部７の状態を監視状態と非監視状態との間で移行する状態移行処理について図７を参照しつつ説明する。この状態移行処理では、まず、制御部７の状態が監視状態であるか否か判断する（Ｓ２０１）。具体的には、前述の通り、記憶部８の所定領域に監視状態のときにＯＮ、非監視状態のときにＯＦＦとなるフラグを設けておき、制御部７はこの記憶部８の領域を参照して、フラグがＯＮであるか否か判断する。
【００４１】
制御部７の状態が監視状態であると判断すると（Ｓ２０１：ＹＥＳ）、次に、第二感圧領域４が所定以上の荷重を検知したか否か判断する（Ｓ２０２）。すなわち、制御部７が第二感圧領域４から所定以上の荷重を検知した旨の信号を受け取ったか否か判断する。第二感圧領域４から所定以上の荷重を検知したと判断すると（Ｓ２０２：ＹＥＳ）、監視者が看護等のために、通路１４を通過して専用空間９に侵入し、第二感圧領域４を踏んだと判断して、制御部７の状態を監視状態から非監視状態に移行して（Ｓ２０３）、処理をリターンする。具体的には、記憶部８の所定領域におけるフラグを監視状態を示すＯＮから非監視状態を示すＯＦＦに変更して、処理をリターンする。これによって、監視者がこの後、看護等のために第一感圧領域３を踏んでも、非監視状態となっているので、不必要な注意情報を出力を防止することができる。
【００４２】
一方、ステップＳ２０２に戻って、第二感圧領域４が所定以上の荷重を検知していない場合は（Ｓ２０２：ＮＯ）、監視状態をそのまま維持し、処理をリターンする。
【００４３】
ステップＳ２０１において、制御部７が監視状態ではないと判断すると（Ｓ２０１：ＮＯ）、次に、第二感圧領域４が所定以上の荷重を検出したか否か判断する（Ｓ２０４）。所定以上の荷重を検出したと判断すると（Ｓ２０４：ＹＥＳ）、監視者が看護等の作業を終えて、専用空間９から通路１４に出るものと判断して、監視状態に移行し（Ｓ２０５）、処理をリターンする。
【００４４】
一方、ステップＳ２０４において、所定以上の荷重を検出していないと判断すると（Ｓ２０４：ＮＯ）、次に、第一感圧領域３に第一の所定時間以上連続して、所定以上の荷重が加わっていないか否か判断する（Ｓ２０６）。ここで、第一の所定時間は、例えば１分間である。第一感圧領域３に第一の所定時間以上連続して、所定以上の荷重が加わっていないと判断すると（Ｓ２０６：ＹＥＳ）、監視状態に移行して（Ｓ２０７）、処理をリターンする。すなわち、１分間連続して所定以上の荷重が加わっていない場合には、監視者が１分以上第一感圧領域３を踏んでいないものであるから、監視者が看護等の作業を終えてベッド２から離れたと考えられるので、この場合には、非監視状態から監視状態に移行する。一方、第一感圧領域３に所定以上の荷重が加わってから、第一の所定時間を経過していないと判断すると（２０６：ＮＯ）、監視者の看護等の作業が終了していないものであるので、非監視状態を維持して、ステップＳ２０４に処理を戻す。
【００４５】
このように、第一感圧領域３に所定時間以上連続して所定以上の荷重が加わっていない場合に、制御部７の状態を非監視状態から監視状態に移行するので、看護等の作業を終えた監視者がベッド２から離れる際に第二感圧領域４を踏み忘れた場合でも、第一の所定時間経過すれば自動的に監視状態に移行し、確実に監視対象者の離床や転落を監視することができる。
【００４６】
なお、表示部５は、例えば、２０個のＬＥＤ素子がライン状に並べられて構成されており、第一の所定時間が１分である場合、第一感圧領域３に所定以上の荷重が加わらなくなってから、３秒ごとにＬＥＤ素子を発光させるように制御しておき、非監視状態から監視状態に移行するときに、全てのＬＥＤ素子が発光するように構成しておくと、監視状態に移行するまでの時間経過を視認することができ、非監視状態から監視状態に移行するタイミングを知ることができる。したがって、非監視状態のときに監視者がベッド２から離れる場合に、すぐに監視状態に移行するのか、監視状態に移行するまでに多少時間があるか知ることができる。
【００４７】
以上のように、本実施形態の離床検知マット１は、監視者が看護等のために監視対象者が横たわるベッド２の脇にいる場合には、制御部７が非監視状態となって注意情報を出力することがなく、監視者がベッド２から離れた場合には制御部７は確実に監視状態となって、監視対象者の離床や転落を監視することができる。そして、第二感圧領域４は、監視者がベッド２に横たわる監視対象者に接近する際の動線１５上であって、ベッド２の長さ方向Ｘにおける足側に第一感圧領域３に隣接して設けられているので、監視者がベッド２に接近する際には、第一感圧領域３よりも前に第二感圧領域４を踏むことができ、しかも、第二感圧領域４も床面に配置されるシート状のものであるので、監視者が看護又は介護に必要な物を両手で持っているような場合でも、簡単に第二感圧領域４を踏むことができる。
【００４８】
さらに、第二感圧領域４は、通路１４にはみ出さないように設けられているので、例えば相部屋などの場合に他の患者などの看護で通路１４を通過する者が、第二感圧領域４を踏む恐れがなく、意図せずに非監視状態になることを防止できる。
【００４９】
なお、本実施形態の離床検知マット１においては、第二感圧領域４が、第一感圧領域３に隣接して、第一感圧領域３の幅と同じ長さで設けられているが、本発明の離床検知マット１の構成はこれに限定されるものではない。次に、第一の実施形態の離床検知マット１の変形例として第一感圧領域３の幅方向の一部に第二感圧領域４が設けられている例を説明する。図８（Ａ）及び図９に示すように、離床検知マット１は、第一感圧領域３のベッド２から最も離反する位置に隣接して第二感圧領域４が設けられている。したがって、監視対象者がベッド２から離床する際や転落する際に、第二感圧領域４は最も遠い位置に配置されているので、第一感圧領域３よりも先に第二感圧領域４を踏むことをより確実に防止することができ、監視対象者を確実に監視することができる。
【００５０】
この離床検知マット１は、リバーシブルであることが好ましい。すなわち、図８（Ａ）に示す表面側と図８（Ｂ）に示す裏面側のいずれが上を向くように配置されても、第一感圧領域３及び第二感圧領域４が所定以上の荷重を検知することができる構成であることが好ましい。このように構成すると、図９において、上下のベッド２に示すように、離床検知マット１をベッド２の右側及び左側のいずれの床面に配置する場合でも、第二感圧領域４をベッド２からもっとも離反する位置に配置することができ、汎用性に優れる。
【００５１】
〔第２の実施形態〕
次に、第２の実施形態に係る離床検知マット１について説明する。第２の実施形態に係る離床検知マット１は、寸法その他の物理的な形状は、第１の実施形態に係る離床検知マット１と同様であるので説明を省略する。第２の実施形態に係る離床検知マット１は、制御部７の状態を監視状態と非監視状態との間で移行する状態移行処理について第１の実施形態に係る離床検知マット１と処理が異なる。なお、第１の実施形態に係る離床検知マット１の図７における処理のうちステップＳ２０１からＳ２０５における処理は、第２の実施形態に係る離床検知マット１でも同様の処理が行われるものであるので、同一の符号を付して、その説明を省略する。
【００５２】
図１０に示すように、第２の実施形態における離床検知マット１の状態移行処理において、ステップＳ２０４において、所定以上の荷重を検出していないと判断すると（Ｓ２０４：ＮＯ）、次に、非監視状態に移行してから第二の所定時間以上経過したか否か判断される（Ｓ３０６）。ここで、第二の所定時間は、例えば５分である。制御部７が非監視状態に移行してから第二の所定時間以上経過したと判断すると（Ｓ３０６：ＹＥＳ）、監視状態に移行して（Ｓ３０７）、処理をリターンする。すなわち、非監視状態に移行してから５分間以上経過した場合には、監視者が看護等の作業を終了していると判断して、非監視状態から監視状態に移行する。一方、制御部７が非監視状態に移行してから第二の所定時間以上経過していないと判断すると（Ｓ３０６：ＮＯ）、監視者の看護等の作業が終了していないものであるので、非監視状態を維持して、ステップＳ２０４に処理を戻す。
【００５３】
このように、非監視状態に移行してから第二の所定時間を経過した場合に、制御部７の状態を非監視状態から監視状態に移行するので、看護等の作業を終えた監視者がベッド２から離れる際に第二感圧領域４を踏み忘れたような場合でも、第二の所定時間経過すれば自動的に監視状態に移行し、確実に監視対象者の離床や転落を監視することができる。
【００５４】
以上のように、本実施形態の離床検知マット１は、監視者が看護等のために監視対象者が横たわるベッド２の脇にいる場合には、制御部７が非監視状態となって注意情報を出力することがなく、監視者がベッド２から離れた場合には制御部７は確実に監視状態となって、監視対象者の離床や転落を監視することができる。
【００５５】
なお、本発明の実施の形態は上述の各形態に限ることなく、本発明の思想の範囲を逸脱しない範囲で適宜変更することができることは云うまでもない。
【産業上の利用可能性】
【００５６】
本発明に係る離床検知マット１は、例えば、医療機関や介護施設又は在宅介護の場合には自宅なのにおいて、監視対象者のベッド２からの離床や転落を検知して監視者に報知する離床検知マット１として好適に用いることができる。
【符号の説明】
【００５７】
１      離床検知マット
２      ベッド
３      第一感圧領域
４      第二感圧領域
５      表示部
６      出力部
７      制御部
【図１】
0005920599.tif 000002
【図２】
0005920599.tif 000003
【図３】
0005920599.tif 000004
【図４】
0005920599.tif 000005
【図５】
0005920599.tif 000006
【図６】
0005920599.tif 000007
【図７】
0005920599.tif 000008
【図８】
0005920599.tif 000009
【図９】
0005920599.tif 000010
【図１０】
0005920599.tif 000011